(57)【特許請求の範囲】
【請求項１】
気密性を持つ化粧壁と、当該化粧壁に覆われ大気に対して相対負圧とされた爆縮室を備え、前記化粧壁は、着弾又は着弾相当の衝撃によって爆縮室の気密破壊が生じる強度を備えると共に、当該爆縮室の気圧は数ｈＰａから数百ｈＰａであることを特徴とする標的。
【請求項２】
前記爆縮室に、化粧壁の破砕片若しくは破砕粉、又は顔料を収納したことを特徴とする前記請求項１に記載の標的。
【発明の詳細な説明】
【技術分野】
【０００１】
本発明は、射撃又は射撃の演技に際して着弾し又は着弾が想定される対象（着弾対象）たる標的に関するものであり、特に着弾時において実際の着弾相当の反応をする標的に関する。
【背景技術】
【０００２】
従来、標的に風船を仕込み、着弾による風船を破裂させ、その破裂の作用により制御部を稼働させ、光や音を発するなど種々着弾相応の反応を引き起こす手法が提供されている他（例えば、下記特許文献１参照）、標的の動作に頼らず、弾丸に着弾相応の反応機能を仕込む手法が提供されている（例えば、下記特許文献２参照）。
【先行技術文献】
【特許文献】
【０００３】
【特許文献１】実開平０５−０９０１９８号公報
【特許文献２】実公平０７−０１１３５１号公報
【発明の概要】
【発明が解決しようとする課題】
【０００４】
しかしながら、前者にあっては、構造が複雑であることに止まらず、その様な手法で得られる効果は、所詮当該標的の破壊による効果ではなく違和感を伴い、しかも、その効果は複数の効果をランダムにピックアップして出力しない限り常に一定である（個別性や意外性が無い）という問題がある一方、後者にあっては、更にその反応機能が制限されるという問題がある。
【０００５】
本発明は上記実情に鑑みて成されたものであって、構造が簡素でありながら、着弾反応に個別性や意外性を持ち且つ違和感の伴わない反応を起こす標的の提供を目的とする。
【課題を解決するための手段】
【０００６】
上記課題を解決する為になされた本発明による標的は、気密性を持つ化粧壁と、当該化粧壁に覆われ大気に対して相対負圧とされた爆縮室を備え、前記化粧壁は、着弾又は着弾相当の衝撃によって爆縮室の気密破壊が生じる強度を備えると共に、当該爆縮室の気圧は数ｈＰａから数百ｈＰａであることを特徴とする。
尚、ここで爆縮とは、全周囲からの圧力で押しつぶされる破壊現象を言う。
【０００７】
前記化粧壁とは、目的に応じた着弾対象たる立体を構成する表装が施された壁であって、射撃場の標的であれば、球状、柱状、同心円の模様が描かれた円盤状、若しくは生活用品等の各種商品に用いられている意匠が施されたものである。
当該化粧壁は、大気圧と爆縮室内圧の気圧差を維持し得る硬直性（保形性）を持ったガラス（破片が鋭く尖らないものが望ましい）、合成樹脂、セラミック、又は金属等のいずれでも良く、当該化粧壁の強度や所望の反応に応じて、前記爆縮室の気圧を調整し、必要に応じて、化粧壁の破砕片若しくは破砕粉、又は顔料（粉状若しくは液状を問わない）を当該爆縮室に適宜収納しても良い。
【発明の効果】
【０００８】
本発明によれば、着弾又は着弾相当の衝撃によって標的に爆縮が励起され、引圧により硝子破片は強い勢いで一端内部に引込まれ、次の瞬間、素材に応じて、外部に破片が飛散し、又は外部に膨出するなどの作用が生じる。その結果、標的の種類の異同にかかわらず、その標的に応じた予測困難な音や変形や破裂が多種多様に発生し、遊技者（射撃場等において）や演技者（撮影現場等において）には着弾時における臨場感が得られるのみならず、演劇や映画撮影等における舞台・映像効果も得やすいものとなる。
【０００９】
爆縮は、吸引作用の反動に伴う適度な破裂が生じ、発射音とは異なる独特の音声や動きを伴うことより、無用な爆発の様な大袈裟で非現実的な作用を伴わないばかりか、危険性も比較的低く、必要に応じて化粧片の破砕片や破砕粉や顔料等を収納しておけば、適度な粉塵等が生じ、よりリアルな状況を醸し出すこととなる。
【図面の簡単な説明】
【００１０】
【図１】本発明による標的の着弾前における外形の一例を示す概略図である。
【図２】本発明による標的の着弾時（吸引作用時）における外形の一例を示す概略図である。
【図３】本発明による標的の着弾後（反動作用時）における外形の一例を示す概略図である。
【発明を実施するための形態】
【００１１】
以下、本発明による標的の実施の形態を図面に基づき説明する。
本発明による標的は、気密性を持つ化粧壁１と、当該化粧壁１に覆われ大気に対して相対負圧とされた爆縮室２を備えたものである。
【００１２】
図１乃至図３に示す標的は、射撃場において弾丸３の着弾対象となる球を模した標的の一例である。
当該例は、気密性を持った球状の中空立体であり、その中空部が爆縮室２となり、当該中空立体の外壁に、例えば同心円状の彩色を施す等、所望の模様などを施して化粧壁１とする。
【００１３】
前記化粧壁１は、柔軟性や弾性が低く、硬質で脆い素材が望ましいが、他方、爆縮室２の内外気圧差にあっても、運送時及び保管時において球状を保ち、且つ弾丸３の着弾又はその他着弾相当の衝撃によって爆縮室２の気密破壊が生じる強度に設定することが要請される。具体的な爆縮室２の肉厚は、弾丸３を確実に貫通させ得る肉厚であることが、確実な気密破壊を瞬時に生じさせる点で望ましいが、必ずしも全体が均一な肉厚を持つことは要さず、化粧壁１の素材や肉厚とのバランスをとりつつ適宜調整可能である。
【００１４】
前記爆縮室２の気圧は、用途や化粧壁１の素材に応じて十分な爆縮を得る目的において、数ｈＰａから数百ｈＰａ（１ｈＰａから４００ｈＰａ程度）が比較的実用的な範囲であるが、爆縮室２の気密破壊によってその化粧壁１を十分に破壊又は変形させ得る吸引作用を誘発する程度に大気圧に対して負圧であることが要請される。
【００１５】
例えば、前記球状以外に、ガラスや合成樹脂を素材として、ビール瓶を模した化粧壁１を形作る場合には、大気圧の四分の一（３００ｈＰａ程度）から百分の一（１０ｈＰａ程度）が適当であると考えられる。また、電球や蛍光灯と模す場合には、その独特な破裂音や動きを得るべく、大気圧の五百分の一（２ｈＰａ程度）から二百分の一（５ｈＰａ程度）が適当であると考えられる。
【００１６】
前記爆縮室２に、射撃場や演劇若しくは撮影等の演出の趣旨や安全性等に配慮した上で、て、化粧壁１（又はそれと同素材）の破砕片若しくは破砕粉、又は顔料（以下、充填物と記す。）を収納しても良いし、フィラメント等を付設して標的を発光させたい場合等には、所望のプラズマを得るべくアルゴンガス等の不活性ガスなど特定のガスを収容しても良い。破壊後に液体を漏出させたい場合には、爆縮室２に、液体、又は気密破壊により液化するガスを収容しても良い。
【００１７】
前記化粧壁１の製造方法としては、中空気密製品の成形法であって、化粧壁１と中空部たる爆縮室２を形成するブロー成型法等による成形工程と、爆縮室２内の空気を抜き必要に応じて前記充填物を収納する排気工程と、開口部を気密状態に封じる密封工程と、出来上がった成形品に適宜色彩や模様等の造形処理を施す化粧工程を経る。
【００１８】
前記密封工程は、前記成型工程において予め排気管を一体的に成形し、当該排気管から脱気等する前記排気工程を終えた後に、加熱しながら当該排気管を圧縮して管路を封じる手法でも良いし、前記成形工程と排気工程を終えた後に、当該爆縮室２の開口部に封止蓋を接着剤等で気密状態に固定しても良い。
【符号の説明】
【００１９】
１  化粧壁，
２  爆縮室，
３  弾丸， 
【図１】
0005367871.tif 000002
【図２】
0005367871.tif 000003
【図３】
0005367871.tif 000004